【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
電子ネットワークとコンピュータシステムとを備える薬剤管理システムであって、
前記コンピュータシステムが、
前記電子ネットワークを介して、以前に調剤装置から取り出された特定の薬剤が前記薬剤管理システムに返却されることが指定されたことの１つ以上の指示を受信し、
前記薬剤管理システム内の中央格納場所に返却されると推定される以前に取り出された特定の薬剤の量である推定返却量を計算し、
１つ以上の推定返却量の待ち行列型返却リストを前記中央格納場所に表示させて、前記中央格納場所への前記特定の薬剤の返却の文書化を促進する
ようにプログラムされる、薬剤管理システム。
【請求項２】
前記中央格納場所を更に備える、請求項１に記載の薬剤管理システム。
【請求項３】
前記待ち行列型返却リストは編集可能である、請求項１に記載の薬剤管理システム。
【請求項４】
前記推定返却量は、前記調剤装置から前記薬剤管理システムへ返却されることが指定された前記特定の薬剤の全量の合計を含む、請求項１に記載の薬剤管理システム。
【請求項５】
前記推定返却量は、前記調剤装置から前記薬剤管理システムへ返却されることが指定された前記特定の薬剤の全量の合計未満である、請求項１に記載の薬剤管理システム。
【請求項６】
前記コンピュータシステムは、
以前に前記調剤装置から取り出された複数の薬剤が前記薬剤管理システムに返却されるように指示されたという指示を受信し、
前記複数の薬剤のうちの少なくとも２つのそれぞれの推定返却量を計算し、
前記複数の薬剤のうちの前記少なくとも２つを前記待ち行列型返却リストに含める
ようにプログラムされる、請求項１に記載の薬剤管理システム。
【請求項７】
前記調剤装置は複数の調剤装置のうちの１つであり、薬剤が返却されると推定される前記調剤装置のうちの少なくとも２つのそれぞれについて待ち行列型返却リストが表示される、請求項１に記載の薬剤管理システム。
【請求項８】
前記薬剤は規制物質である、請求項１に記載の薬剤管理システム。
【請求項９】
前記薬剤管理システムは中央コンピュータシステムと通信し、
前記中央コンピュータシステムは前記調剤装置と通信し、
前記調剤装置は、前記調剤装置で生じた薬剤に関わるトランザクションを前記中央コンピュータシステムに通知し、
前記中央コンピュータシステムは、前記調剤装置により報告される特定のトランザクションが規制物質を含むことを認識し、前記薬剤管理システムに、規制物質に関わる前記トランザクションを通知する、請求項８に記載の薬剤管理システム。
【請求項１０】
前記調剤装置を更に備える、請求項１に記載の薬剤管理システム。
【請求項１１】
前記調剤装置は、前記薬剤管理システムに含まれる複数の調剤装置の１つである、請求項１０に記載の薬剤管理システム。
【請求項１２】
前記推定返却量の計算は、前記待ち行列型返却リスト内のエントリー数を過大評価させる傾向を有する仮定に基づく、請求項１に記載の薬剤管理システム。
【請求項１３】
前記コンピュータシステムは、前記コンピュータシステムのユーザにより前記待ち行列型返却リスト内のエントリーが承認されると、
前記承認されたエントリーに記載される前記薬剤の前記返却量を前記中央格納場所内の特定の小型容器に配置するようにユーザをガイドし、
前記エントリーに記載される前記薬剤の返却の記録を作成するように更にプログラムされる、請求項１に記載の薬剤管理システム。
【請求項１４】
前記待ち行列型返却リストは、廃棄すべき物品量を示す、請求項１に記載の薬剤管理システム。
【請求項１５】
コンピュータシステムが、電子ネットワークを介して、以前に調剤装置から取り出された薬剤が薬剤管理システムに返却されることが指定されたことの指示を受信し、
前記薬剤管理システム内の中央格納場所に返却されると推定される以前に取り出された薬剤の量である推定返却量を計算し、
１つ以上の推定返却量の待ち行列型返却リストを前記中央格納場所に表示させて、前記中央格納場所への前記薬剤の返却の文書化を促進すること
を備える、薬剤を管理する方法。
【請求項１６】
前記システムのユーザからの入力に応答して、前記待ち行列型返却リストを変更することを更に含む、請求項１５に記載の薬剤を管理する方法。
【請求項１７】
前記推定返却量を計算することは、前記調剤装置から前記薬剤管理システムへ返却されることが指定された特定の薬剤の全量の合計を計算することを含む、請求項１５に記載の薬剤を管理する方法。
【請求項１８】
以前に前記調剤装置から取り出された複数の薬剤が前記薬剤管理システムへ返却されることが指定されたことの指示を受信すること、
前記複数の薬剤のうちの少なくとも２つの推定返却量を計算することであって、前記推定返却量は、前記中央格納場所に返却すると推定される以前に取り出された薬剤の量である、計算すること、及び
前記複数の薬剤のうちの前記少なくとも２つを前記待ち行列型返却リストに含めること、
を備える、請求項１５に記載の薬剤を管理する方法。
【請求項１９】
前記調剤装置は複数の調剤装置のうちの１つであり、前記方法は、薬剤が返却されると推定される前記調剤装置のうちの少なくとも２つのそれぞれの各待ち行列型返却リストを表示することを備える、請求項１５に記載の薬剤を管理する方法。
【請求項２０】
前記薬剤は規制物質である、請求項１５に記載の薬剤を管理する方法。
【請求項２１】
前記推定返却量を計算することは、前記待ち行列型返却リスト内のエントリー数を過大評価させる傾向を有する仮定に基づいて前記推定返却量を計算することを備える、請求項１５に記載の薬剤を管理する方法。
【請求項２２】
ユーザから前記待ち行列型返却リストのエントリーの承認を受信する場合、
前記エントリーに記載される前記薬剤の前記返却量を前記中央格納場所内の特定の小型容器に配置するようにユーザをガイドすること、及び
前記エントリーに記載される前記薬剤の返却の記録を作成すること
を更に備える、請求項１５に記載の薬剤を管理する方法。
【請求項２３】
コンピュータシステムを備える薬剤管理システムであって、前記コンピュータシステムが、
医療施設内のある場所で後のトランザクションを引き起こすと予期される薬剤の移動の記述を受信し、
待ち行列型リストを前記場所において表示させて、前記後のトランザクションのデータ文書化の入力を促進する
ようにプログラムされる、薬剤管理システム。
【請求項２４】
前記薬剤は規制物質である、請求項２３に記載の薬剤管理システム。
【請求項２５】
前記薬剤の移動の記述は、事前出荷明細通知であり、前記待ち行列型リストは待ち行列型受取リストである、請求項２３に記載の薬剤管理システム。
【請求項２６】
前記薬剤の移動の記述は、第１の患者固有の格納場所から第２の患者固有の格納場所への特定の患者の薬剤の移動の記述であり、
前記待ち行列型リストは、前記薬剤を取り出すべきソース調剤装置に表示される待ち行列型在庫減リストである、請求項２３に記載の薬剤管理システム。
【請求項２７】
前記コンピュータシステムは、待ち行列型在庫減リストを、前記薬剤を配置すべき宛先調剤装置に表示させるように更に構成される、請求項２６に記載の薬剤管理システム。
【請求項２８】
前記薬剤の移動の記述は、中央格納場所から、前記中央格納場所から離れた調剤装置への前記薬剤の移動の記述であり、前記待ち行列型リストは、前記調剤装置に格納すべき１つ以上の薬剤のリストを含む、請求項２３に記載の薬剤管理システム。
【請求項２９】
コンピュータ化された規制物質管理システムと、特定の各患者に意図される薬剤を格納するいくつかの患者固有の場所とを備えるシステムであって、
前記規制物質管理システムは、前記患者固有の場所内外への規制物質の移動を追跡する、システム。
【請求項３０】
前記システムは１つ以上の待ち行列型リストを表示させて、前記規制物質に関わる移動トランザクションの文書化を促進する、請求項２９に記載のシステム。